【手続補正書】
【提出日】平成18年10月19日(2006.10.19)
【手続補正１】
【補正対象書類名】明細書
【補正対象項目名】特許請求の範囲
【補正方法】変更
【補正の内容】
【特許請求の範囲】
【請求項１】  入力デバイス、
ユーザーによって任意に選択され且つこの入力デバイスにより操作される操作対象、を表示するための表示装置、
前記操作対象に対して、入力デバイスによるスイッチ操作が行なわれた時の座標が、このスイッチ操作に先立つ入力デバイスによる範囲指定操作で指定された範囲内にあるか否かを判定し、スイッチ操作が指定範囲内にあることが判定された場合には、指定範囲内のデータを引き渡し先データに基づいて引き渡し先へ渡す処理装置、
を備えたデータ引き渡し装置。
【請求項２】表示装置にユーザーが任意に表示する操作対象に対して、入力デバイスによるスイッチ操作が行なわれた時の座標が、このスイッチ操作に先立つ入力デバイスによる範囲指定操作で指定された範囲内にあるか否かを判定して、前記座標が指定範囲内にある場合には、指定範囲内のデータを引き渡し先へ渡すようにしたことを特徴とする、データ引き渡し方法。
【請求項３】  引き渡し先データを有すると共に入力デバイスを備えたコンピュータに、入力デバイスにより範囲指定されたデータを、前記引き渡し先へ渡すための処理を行なわせるためのプログラムを記録した記録媒体であって、
表示装置にユーザーが任意に表示する操作対象に対し、入力デバイスによる任意範囲の範囲指定操作に続いて入力デバイスによるスイッチ操作が行なわれた時の座標が、このスイッチ操作に先立つ入力デバイスによる範囲指定操作で指定された範囲内にあるか否かを判定し、前記座標が指定範囲内にあると判定した場合には、指定範囲内のデータを引き渡し先へ渡す処理をコンピュータに行なわせるためのプログラムを記録した記録媒体。
【請求項４】  入力デバイスを備えたコンピュータに、入力デバイスにより範囲指定されたデータを、後述の引き渡し先へ渡すための処理を行なわせるためのプログラムを記録した記録媒体であって、
予め、引き渡し先データを準備し、
表示装置にユーザーが任意に表示する操作対象に対し、入力デバイスによる任意範囲の範囲指定操作に続いて、入力デバイスによるスイッチ操作が行なわれた時に、
このスイッチ操作が行なわれた時の座標が、このスイッチ操作に先立つ入力デバイスによる範囲指定操作で指定された範囲内にあるか否かを判定し、前記座標が指定範囲内にあると判定した場合には、
前記引き渡し先データに基づいて任意指定範囲内のデータを引き渡し先へ渡す処理をコンピュータに行なわせるためのプログラムを記録した記録媒体。
【請求項５】請求項３または請求項４のプログラムを記録した記録媒体に於いて、任意範囲指定後に、指定範囲内のデータを一時記憶させておき、前記指定範囲をオブジェクトとしてその上で入力デバイスによるスイッチ操作が行なわれた時、このオブジェクトの値としてのデータを前記一時記憶させておいたデータと照合し、これ等２つのデータが同一内容である場合に、指定範囲内のデータを引き渡し先へ渡すようにしたことを特徴とするもの。
【請求項６】請求項３または請求項４のプログラムを記録した記録媒体に於いて、入力デバイスのカーソルを、範囲指定後にこの指定範囲内に移動させるようにしたことを特徴とするもの。
【請求項７】  音声入力装置を備え、ユーザーから任意に発せられた言葉の音声認識を行なうコンピュータに、請求項６に係る処理を行なわせるためのプログラムを記録した記録媒体であって、範囲指定したいとしてユーザーから発せられた言葉の音声認識結果を受け取り、この認識結果の文字列と表示文字列との一致を判定し、一致する場合にはその表示文字列にフォーカスして、前記入力デバイスによるスイッチ操作に相当する制御を行なうことにより、この文字列を引き渡し先へ渡すようにしたことを特徴とするもの。
【請求項８】請求項３または請求項４のプログラムを記録した記録媒体に於いて、範囲指定したい任意の位置でスイッチ操作を行なった時に、予め定めた規則で範囲指定するようにしたことを特徴とするもの。
【請求項９】請求項３または請求項４のプログラムを記録した記録媒体に於いて、入力デバイスの操作対象を予め定めた規則により範囲分割を行なっておき、その複数の分割範囲の内の任意分割範囲を入力デバイスによって指示することにより、範囲指定するようにしたことを特徴とするもの。
【請求項１０】請求項９のプログラムを記録した記録媒体に於いて、複数の分割範囲を連続または不連続に指示し、範囲指定し得るようにしたことを特徴とするもの。
【請求項１１】請求項３または請求項４のプログラムを記録した記録媒体に於いて、入力デバイスによる範囲指定操作によってデータを指定した後、入力デバイスが具えたスイッチとは別のスイッチを押す操作によって、指定範囲内のデータを引き渡し先へ渡すようにしたことを特徴とするもの。
【請求項１２】請求項３または請求項４のプログラムを記録した記録媒体に於いて、複数の引き渡し先の中から１以上の引き渡し先の指定を行なうことができるようにしたことを特徴とするもの。
【請求項１３】請求項１２のプログラムを記録した記録媒体に於いて、入力デバイスによる範囲指定後、この指定範囲内で入力デバイスの前記範囲指定の際に使われたスイッチと同一のスイッチを押す操作を行なった場合に、引き渡し先を、入力デバイスにより選択可能なメニューとして表示するようにしたことを特徴とするもの。
【請求項１４】請求項１２のプログラムを記録した記録媒体に於いて、入力デバイスによる範囲指定後この指定範囲内に入力デバイスのカーソルを置いた場合に、引き渡し先を、入力デバイスにより選択可能なメニューとして表示するようにしたことを特徴とするもの。
【請求項１５】請求項１３のプログラムを記録した記録媒体に於いて、入力デバイスによる範囲指定後、この指定範囲内で入力デバイスのスイッチを予め定めた時間以上押す操作を継続した場合に、引き渡し先を、入力デバイスにより選択可能なメニューとして表示するようにしたことを特徴とするもの。
【請求項１６】請求項１３のプログラムを記録した記録媒体に於いて、入力デバイスを用いた範囲指定操作によりデータを指定した時、範囲指定操作の最後に起こるスイッチを離す操作により、このデータの引き渡し先を入力デバイスにより選択可能なメニューとして表示するようにしたことを特徴とするもの。
【請求項１７】請求項３または請求項４のプログラムを記録した記録媒体に於いて、入力デバイスの操作対象が所有する固有の情報を、その操作対象から得て、入力デバイスにより選択可能なメニューに追加し、固有の情報が選択された場合には、その情報を指定範囲内のデータと共に引き渡し先へ渡すようにしたことを特徴とするもの。
【請求項１８】請求項１７のプログラムを記録した記録媒体に於いて、操作対象が所有する固有の情報として指定範囲内データの引き渡し先を得て、この指定範囲内データの引き渡し先を、入力デバイスにより選択可能なメニューに追加登録し得るようにしたことを特徴とするもの。
【請求項１９】請求項３または請求項４のプログラムを記録した記録媒体に於いて、予めユーザー固有の情報を登録しておき、指定範囲内のデータを引き渡し先へ渡す際に、併せて前記ユーザー固有の情報を渡すようにしたことを特徴とするもの。
【請求項２０】請求項３または請求項４のプログラムを記録した記録媒体に於いて、指定範囲内のデータを引き渡し先へ渡す処理に先立って、指定範囲内のデータを他言語に翻訳する処理を行なうようにしたことを特徴とするもの。
【請求項２１】請求項３または請求項４のプログラムを記録した記録媒体に於いて、入力デバイスによる操作が可能なスイッチを表示画面上に表示しこれをＯＮ状態にするか、または入力デバイスが具えるスイッチとは別のスイッチをＯＮ状態とした場合に、指定範囲内のデータが入力されて編集し得るようにした編集ボックスを表示するようにしたことを特徴とするもの。
【請求項２２】請求項３または請求項４のプログラムを記録した記録媒体に於いて、入力デバイスを用いた範囲指定操作後、指定範囲内のデータを表示すると共にそのデータを編集可能とした、編集ボックスを表示するようにしたことを特徴とするもの。
【請求項２３】請求項２１または請求項２２のプログラムを記録した記録媒体に於いて、編集ボックスは、データの検索先を、入力デバイスによって選択可能なメニューとして表示するようにしたことを特徴とするもの。
【請求項２４】請求項３または請求項４のプログラムを記録した記録媒体に於いて、入力デバイスを用いたスイッチ操作が可能な、データの引き渡し先を示すスイッチを表示画面上に表示し、このスイッチがＯＮ状態の場合に、指定範囲内のデータをこの引き渡し先へ渡す処理を行なうようにしたことを特徴とするもの。
【請求項２５】請求項３または請求項４のプログラムを記録した記録媒体に於いて、入力デバイスを用いた範囲指定操作によりデータを指定した後、所定の位置にドラッグアンドドロップする操作によって、指定範囲内のデータを引き渡し先へ渡す処理を行なうようにしたことを特徴とするもの。
【請求項２６】請求項３または請求項４のプログラムを記録した記録媒体に於いて、入力デバイスによる操作が可能なスイッチを表示画面上に表示しこれをＯＮ状態にするか、または入力デバイスが具えるスイッチとは別のスイッチをＯＮ状態とした場合に、範囲指定操作に続く前記一連の処理を行なうようにしたことを特徴とするもの。
【請求項２７】請求項３または請求項４のプログラムを記録した記録媒体に於いて、入力デバイスによる範囲指定操作を行なうに際して、前記操作対象がハイパーリンクを有する場合に、このハイパーリンクを動作不能とする処理を行なうようにしたことを特徴とするもの。
【請求項２８】請求項２７のプログラムを記録した記録媒体に於いて、入力デバイスによる操作が可能なスイッチを表示画面上に表示しこれをＯＮ状態にするか、または入力デバイスが具えたスイッチとは別のスイッチをＯＮ状態とした場合に、前記操作対象のハイパーリンクを動作不能とする処理を行なうようにしたことを特徴とするもの。
【請求項２９】請求項２７のプログラムを記録した記録媒体に於いて、表示画面上に前記操作対象のハイパーリンクを動作不能とするメニューを表示し、このメニューが選択された場合に、操作対象のハイパーリンクを動作不能とする処理を行なうようにしたことを特徴とするもの。
【請求項３０】請求項３または請求項４のプログラムを記録した記録媒体に於いて、入力デバイスによる範囲指定操作を行なうに際して、前記操作対象が編集可能である場合に、操作対象を編集不能とする処理を行なうようにしたことを特徴とするもの。
【請求項３１】請求項３０のプログラムを記録した記録媒体に於いて、入力デバイスによる操作が可能なスイッチを表示画面上に表示しこれをＯＮ状態にするか、または入力デバイスが具えたスイッチとは別のスイッチをＯＮ状態とした場合に、前記操作対象を編集不能とする処理を行なうようにしたことを特徴とするもの。
【請求項３２】請求項３０のプログラムを記録した記録媒体に於いて、表示画面上に前記操作対象を編集不能とするメニューを表示し、このメニューが選択された場合に、前記操作対象を編集不能とする処理を行なうようにしたことを特徴とするもの。
【請求項３３】請求項３または請求項４のプログラムを記録した記録媒体に於いて、任意指定範囲内のデータの引き渡し先がグローバルメモリであり、このグローバルメモリを引き渡し先に指定し得ることを特徴とするもの。
【請求項３４】請求項３または請求項４のプログラムを記録した記録媒体に於いて、任意指定範囲内のデータの引き渡し先が検索処理プログラムであり、この検索処理プログラムを引き渡し先に指定し得ることを特徴とするもの。
【請求項３５】請求項３４の処理を行なうプログラムを記録した記録媒体に於いて、検索処理プログラムから検索結果を受け取って、入力デバイスにより選択可能なハイパーリンクとして表示する表示処理を行なうようにしたことを特徴とするもの。
【請求項３６】請求項３または請求項４のプログラムを記録した記録媒体に於いて、任意指定範囲内のデータを引き渡し先がエディタプログラムであり、このエディタプログラムを引き渡し先に指定し得ることを特徴とするもの。
【請求項３７】請求項３６のプログラムを記録した記録媒体に於いて、エディタプログラムが、ハイパーテキストを編集するためのプログラムであることを特徴とするもの。
【請求項３８】請求項３または請求項４のプログラムを記録した記録媒体に於いて、検索処理プログラムを具え、入力デバイスを用いた任意範囲指定操作によって指定されたデータの、検索処理を行なうようにしたことを特徴とするもの。
【請求項３９】請求項３８のプログラムを記録した記録媒体に於いて、インデックスを具えていることを特徴とするもの。
【請求項４０】請求項３８のプログラムを記録した記録媒体に於いて、データベースを備えていることを特徴とするもの。
【請求項４１】請求項４０のプログラムを記録した記録媒体に於いて、データベースに蓄積するデータの収集処理を行なうようにしたことを特徴とするもの。
【請求項４２】請求項３４または請求項３８のプログラムを記録した記録媒体に於いて、検索結果が０件であるという検索結果を受けた場合、データ引き渡し時の表示画面を描き替えることなく、検索結果が０件であることを表示するようにしたことを特徴とするもの。
【請求項４３】請求項３４または請求項３８のプログラムを記録した記録媒体に於いて、検索結果を受け、データ引き渡し時の表示画面を描き替えることなく、検索結果を別画面に表示するようにしたことを特徴とするもの。